(57)【要約】      （修正有）【課題】防水スライドファスナーを使用せずに水の浸入を防ぐバッグ等に適用できる防水構造を備えた開閉部を提供する。【解決手段】端面を相互に当接する開口部１２を有する表地１１の裏面に、スライドファスナーを設け、前記スライドファスナーのファスナー開口部を覆う長さでその左右両側に縦幅のある帯状片４０と帯状片４１を立設して設けたもので、帯状片４０と帯状片４１は物を出し入れしない通常時は対向する面を相互に接触して密接に閉塞することで防水する防水構造を備えた開閉部である。スライドファスナーを閉じたときは、表地１１の開口部１２も端面を合わせて閉じ、閉じられたファスナー開口部を覆う長さでその左右両側に立ち起こされた縦幅のある帯状片４０と帯状片４１の根元が寄せられて内層のゴム面が接触して閉塞するので３段階での防水効果がある。 【選択図】図１
0003168713.tif 000002
【実用新案登録請求の範囲】
【請求項１】
開口部（１２）を有する表地（１１）の裏面にスライドファスナー（２）を設け、前記スライドファスナー（２）のファスナー開口部（２０）を覆う長さでその左右両側に縦幅のある帯状片（４０）と帯状片（４１）を立設して設けたもので、前記帯状片（４０）（４１）は対向する面を相互に接触して密接に閉塞することを特徴とする防水構造を備えた開閉部。
【請求項２】
端面を相互に当接する表地開口部（１２）を有し、上層（１３）、中層（１４）、下層（１５）からなる表地（１１）と、前記表地開口部（１２）の下方に配置され設けられるファスナー開口部（２０）を有するスライドファスナー（２）と、そのファスナー開口部（２０）の周囲に設けられる前記ファスナー開口部（２０）より大きい取付具開口部（３０）を有する取付具（３）と、
前記ファスナー開口部（２０）を裏から覆う内張防水パーツ（４）とからなり、
前記内張防水パーツ（４）はファスナー開口部（２０）を覆う長さで左右両側に帯状片（４０）と帯状片（４１）を立設して設けたもので、その前記帯状片（４０）（４１）は対向する面を相互に接触する縦幅をもっていて、かつ両端は接合縁部で接着しており、その帯状片（４０）と帯状片（４１）とは相互に接触して密接に閉塞することを特徴とする防水構造を備えた開閉部。
【請求項３】
前記表地（１１）が、上層（１３）をジャージ生地、中層（１４）を独立気泡構造をもったゴムスポンジ、下層（１５）をジャージ生地とした三層の生地であることを特徴とする請求項１又は請求項２のいずれかに記載の防水構造を備えた開閉部。
【請求項４】
前記帯状片（４０）と帯状片（４１）は、相互に対向する内層（４４）をゴム面とし、外層（４５）をジャージ生地にしていることを特徴とする請求項１又は請求項２のいずれかに記載の防水構造を備えた開閉部。
【請求項５】
前記取付具は（３）は、スライドファスナー（２）のレールテープ（２５）の外周を覆う枠状で、縁を屈折し立上げた開口部（３０）を有し、その開口端面に接着剤で帯状片（４０）（４１）の下端面を接着して接合部（４３）で連結した内張防水パーツ（４）を形成していることを特徴とする請求項２に記載の防水構造を備えた開閉部。
【考案の詳細な説明】
【技術分野】
【０００１】
本考案は、バッグやカバン等の開閉部に適用できる開閉部の防水構造に関し、いわゆる水密な防水スライドファスナーを使用せずに、通常のスライドファスナーを用いても水の浸入を防ぐことができる防水構造を備えた開閉部に関するものである。
バッグ等の防水システムは、素材や形状のほか、その開閉部などの個別の構成部品も改良が要請される技術分野である。
【背景技術】
【０００２】
従来、バッグ、ウエストバッグ、マリン製品等の開閉部の防水は、その製品用途によって、簡易防水構造、止水構造、水密気密構造などが選択されるが、ファスナーを設けた開閉部から水の浸入を防ぐ手段は、前記いずれかの特異な構造の防水スライドファスナーを選択して使用する以外方法はなかった。
【０００３】
防水スライドファスナーは、その防水性や耐久性をグレードアップすればするほど、堅牢な構造で、高価で、適用する開閉部のデザインも制約される傾向がある。
【０００４】
そこで、例えば、特開２００７−２７５５９０「流体密封スライドファスナー」や、特開２００５−２３７５７７「防水性スライドファスナーとその製造装置」のようなスライドファスナーの開発や、次の特許文献３のような防水システムが発案されている。
【先行技術文献】
【特許文献】
【０００５】
【特許文献１】特開２００７−２７５５９０「流体密封スライドファスナー」
【特許文献２】特開２００５−２３７５７７「防水性スライドファスナーとその製造装置」
【特許文献３】登録実用新案公報第３０６３８０３号「二層防水ファスナー」
【０００６】
しかしながら、前記に限定するものではないが、一般に防水スライドファスナーは、比較的高価であるとともに、精密部材で、堅牢頑丈でその取付箇所やデザインに自由度がもう一歩であり、開閉作動も指の力を相当要するという面がある。  
【０００７】
実際は、水密程度に応じて開閉に強い握力や引き動かす力が必要となることが多い。
防水スライドファスナーは、数多くの改良がなされ、水密性、気密性を保持させるために緻密な構成となっているためか、精密部材も多く必要となり製造にも費用、時間がかかってしまう技術集積製品であり、日常商品にまでは汎用化するには至っていない。
【０００８】
販売的にも、防水スライドファスナーを日用品や日常製品に使用するとなると製造コストが飛躍的に上がり、実際の市場での競争力のある価格設定で実用化するには難しいところがある。
しかし、防水性のある開閉部を必要とする商品は多数に渡り、そのニーズは膨大であるので、防水スライドファスナーを使用しないでも同じような機能効果がある製品であれば、一定の市場価値があると予測できる。
【０００９】
又、登録実用新案公報第３０６３８０３号の二層防水ファスナーのように、ファスナーのほかに、ファスナーの下にさらに特異な構造の閉塞構造を構成するのは比較的作成作業に手間がかり、日常の一般用商品にはすぐには適用できないという状況がある。
【００１０】
さらに、中身の出し入れが頻繁で開閉が比較的多い日常バッグ類では、開閉にスムースさがなくなる頑丈な防水構造は、使い勝手が悪くなる。
そのためか、防水効果のある頑丈な防水スライドファスナーを用いた製品は、特殊分野に限られているのが実情である。
【００１１】
そこで日常的に使用されるバッグ類などの開口部を防水構造にするものとしては、比較的安価で、完全ではなくとも若干の防水性のあるスライドファスナーや通常のスライドファスナーを使用しても防水できる防水システムともいうべき防水構造が要請されていた。
【考案の概要】
【考案が解決しようとする課題】
【００１２】
本考案の解決しようとする課題は、以下の通りである。
（Ａ）防水スライドファスナーを使用せず、通常のファスナーや柔軟な素材で簡易程度の防水性のファスナーを用いても水の浸入を防ぐ防水構造を備えた開閉部を提供すること。
（Ｂ）防水構造を備えた開閉部は、例えばバッグの上面や側面など取り付け位置に制約がないこと。
そして、その防水構造を備えた開閉部を備えたデザインの多様なバッグ類を提供すること。
（Ｃ）開閉のためにファスナーを使用しても強い握力を必要とせずに開閉が可能な構造とすること。
女性や子供のバッグ類でも適用できること。
（Ｄ）防水構造を備えた開閉部は、全体に簡易な構成とし短期間で製造可能であり、廉価で開閉が容易な使い勝手のよい開閉部を備えたバッグ等を提供することも課題とする。
【００１３】
このように本考案は、通常のファスナーを用いても、防水機能がある程度高い防水構造を備えた開閉部の開発を目的とする。
【００１４】
本考案は、頑丈な防水スライドファスナーは使用しないが通常のファスナーを使用するものである。
開閉には当然スライダーを握る握力や引き動かす力は必要であるが、子供や女性など比較的握力や指力の弱い使用者も、弱い力でスライダーの開閉ができ、中身の物品の取り出し、出し入れが、防水状況でスムースに行うことができる。
【課題を解決するための手段】
【００１５】
本考案は、防水構造を備えた開閉部であって、これを備えたバッグが、例えば水辺で使用され、雨中で使用されても、中の物品を出し入れしても水の浸入を防ぐことができる部品であり、開閉部の防水構造を提供することを最も主要な目的とする。  
【００１６】
この目的及び前記課題を解決するために、考案者は次の構成を案出したものである。
本考案は、開口部（１２）を有する表地（１１）の裏面にスライドファスナー（２）を設け、前記スライドファスナー（２）のファスナー開口部（２０）を覆う長さで左右両側に長い帯状片（４０）（４１）を立設して設けたことを特徴とする防水構造を備えた開閉部である。
ファスナー開口部（２０）を覆う長さで、長手方向から見て左右両側に、長い帯状片（４０）（４１）を立設し、帯状片（４０）（４１）を対向接触させて設けている。
対向接触している箇所が、開閉する開口部となる。
【００１７】
本考案の開口部（１２）を有する表地（１１）は、表裏にジャージ生地を張った独立気泡構造をもったゴムスポンジである。
表地（１１）の意味は、バッグやウエストポーチなどのバッグ類を形成する部材としての表地（１１）である。
【００１８】
帯状片（４０）（４１）は、裏面にジャージ生地を張った独立気泡構造をもったゴムスポンジである。
帯状片（４０）（４１）は、相互に所定幅と所定面積で対向接触して密接に接触する構成で、その接触面で防水するものであるので、接触面は少なくとも平坦で、できればゴム面が好ましい。
【００１９】
防水構造を備えた開閉部は、具体的には、
表地開口部（１２）を有し、上層（１３）、中層（１４）、下層（１５）からなる表地（１１）、
ファスナー開口部（２０）を有するスライドファスナー（２）、
前記ファスナー開口部（２０）より大きい取付具開口部（３０）を有する取付具（３）、
ファスナー開口部（２０）を覆う長さで左右両側に長い帯状片（４０）（４１）を立設した内張防水パーツ（４）、
からなる。
【００２０】
表地（１１）の開口部（１２）は、カッターで鋭く一直線に切り開いた形状で、閉塞状態を目で見ると、一本の直線である。
切られた端面は、両方から押されて密着しており密閉状態を形成する。
指先をこの開口部（１２）に差し込むと、密閉状態は開放される。
【００２１】
前記内張防水パーツ（４）はファスナー開口部（２０）を覆う長さで左右両側に長い帯状片（４０）と帯状片（４１）とを立設して設けたものである。
その前記帯状片（４０）（４１）は対向する面を相互に接触するもので、対向面の隙間が、物品の出し入れ口＝開口部となるもので、相当の縦幅を形成している。
【００２２】
ファスナー開口部（２０）を長手方向から見て左右両側に、長い帯状片（４０）（４１）を立設し、帯状片（４０）（４１）を対向接触させて設けている。
帯状片（４０）と帯状片（４１）とは、ファスナー開口部（２０）に対して直角方向に立って設けられ、相互に所定幅と所定面積で対向接触して密接に接触する構成であり、対向接触している箇所が、開閉する開口部となる。
接触によって防水している構成となる。
そのため、帯状片（４０）（４１）は、立った状態を自己維持する保型性のある素材が採用され、接触維持には弾性のあることも要請される。
【００２３】
帯状片（４０）（４１）の素材は、独立気泡構造をもったゴムスポンジで裏面にジャージ生地を張ったもので、相互に対向して接触するゴム面を露出した内層（４４）とジャージ生地になる外層（４５）を有するものである。
帯状片（４０）（４１）からなる内張防水パーツ（４）は、両端を接合して隅から水が入らないように接合している。
前記スライドファスナー（２）を綴じた状態では前記帯状片（４０）（４１）は立っていて、立ち上がり面を相互に密接して閉塞している。
帯状片（４０）（４１）の端部は接合している。
その部分の接合は、止テープや、接着剤接合や、縫合や止具（５）などで水密に接合している。
【００２４】
このようにファスナー開口部の下方に、長い帯状片（４０）（４１）を立設して閉塞状態を維持しながら、指先などを自在に差し込める開口部としていることが本考案での重要な構成である。
【００２５】
登録実用新案公報第３０６３８０３号の二層防水ファスナーのように、ファスナーのほかに、ファスナーの下にさらに平行な位置で裏に防水のためのファスナーを設けるのではなく、又裏側に薄い防水布を配置するのでもない。
【００２６】
スライドファスナー（２）の裏面に前記一対の構成の内張防水パーツ（４）を取り付けるにあたっては、前記ファスナー開口部（２０）より大きい取付具開口部（３０）を有する取付具（３）を介在させると作業性がよい。
【００２７】
このように、本考案に係る防水構造を備えた開閉部は、
端面を相互に当接する表地開口部（１２）を有し、上層（１３）、中層（１４）、下層（１５）からなる表地（１１）、表地開口部（１２）の下方に配置され設けられるファスナー開口部（２０）を有するスライドファスナー（２）、そのファスナー開口部（２０）の周囲に設けられる前記ファスナー開口部（２０）より大きい取付具開口部（３０）を有する取付具（３）、
前記ファスナー開口部（２０）を裏から覆う内張防水パーツ（４）からなり、
前記内張防水パーツ（４）はファスナー開口部（２０）を覆う長さで左右両側に長い帯状片（４０）（４１）を立設して設けたものでその前記帯状片（４０）（４１）は対向する面を相互に接触する所定幅と所定面積を有する縦幅であり、かつ前記内張防水パーツ（４）を形成する帯状片（４０）（４１）の両端は接合しており、
前記スライドファスナー（２）を綴じた状態では前記帯状片（４０）（４１）は相互に密接して閉塞することを特徴とする防水構造を備えた開閉部である。
【００２８】
帯状片（４０）（４１）は、対向する面＝内層（４４）をゴム面とし、外層（４５）をジャージ生地にしている。
【００２９】
なお、内張防水パーツ（４）の両端の接合箇所は、水密に接合するものであるが、帯状片（４０）（４１）を立設するうえでの、支持構造でもあるので、接合は、止テープや、接着剤接合に加えて、縫合や止具（５）などで、補強するのが好ましい。
止具を使用しない縫着では、糸の太さの選定や縫い方で適宜な補強ができる。
【考案の効果】
【００３０】
本考案は前記の構成であり、バッグ等の開閉部に適用すると、次の技術的効果がある。
（Ａ）防水スライドファスナーを使用せずとも、通常のファスナーや柔軟な素材で簡易程度の防水性のファスナーを用いても、閉口時には、水の浸入を防ぐことができる。
（Ｂ）本考案の防水構造を備えた開閉部は、例えばバッグの上面や側面、横面など、どのような位置にでも形成できる。
そのため、多様なデザインのバッグ類を提供できる。
（Ｃ）ファスナーは、通常のタイプのファスナーで、強い力を必要とせずに開閉ができ、使用者の年齢を問わずに特に使い方を知らなくても容易に開閉できる。女性や子供のバッグ類など広く適用できる
（Ｄ）防水構造を備えた開閉部は、全体に簡易な構成であり、従来設備で製造可能であり、廉価で開閉が容易な使い勝手のよい開閉部を備えたバッグ等を提供できる。
【００３１】
本考案は、堅牢精密な防水スライドファスナーを設けることなく水密性能、気密性能を保持させ、水の浸入を防ぐ防水構造の開閉部に関するものである。
防水スライドファスナーは高価な製品であるため、適用できない製品が多々あったが、本考案を適用することで廉価で防水可能な製品を提供することができる。
【００３２】
又、防水スライドファスナーを適用すると握力が相当程度必要となるが、本考案では通常のファスナーを使用するため強い握力を必要としない。
子供からお年寄りまで年齢は問わず容易に開閉することができる防水構造であり、開発商品の種類や態様の幅が広がる。
【図面の簡単な説明】
【００３３】
【図１】本考案に係る防水構造を備えた開閉部の実施例１を示すもので、要部の断面説明図である。
【図２】同じく本考案に係る防水構造を備えた開閉部の実施例１を示すもので、分解説明図である。
【図３】実施例１の構成において部品の異なる実施例２を示すもので、取付部をファスナーのラインレールに接合した場合の要部の断面説明図である。
【図４】同じく本考案に係る防水構造を備えた開閉部の実施例２を示すもので、分解説明図である。
【図５】本考案に係る防水構造を備えた開閉部の実施例１や実施例２の部材である内張防水パーツ（４）の端部を示す説明図である。内張防水パーツ（４）は、帯状片（４０）（４１）からなり、両端のみを止めていてその部分からの水の浸入を防いでいる。両端以外は開口できる。
【図６】本考案に係る防水構造を備えた開閉部の実施例３の一部を示す写真で、防水構造を備えた開閉部を上面に設けたウエストバッグを裏返した状態の説明図である。
【図７】同じく本考案に係る防水構造を備えた開閉部の実施例３を示すものであって、表地（１１）の開口部（１２）を示す写真説明図である。
【図８】本考案に係る防水構造を備えた開閉部を有するグリップ孔付きのバッグである実施例４を裏返した状態の写真説明図である。
【図９】同じくグリップ孔付きのバッグである実施例４を示す正面の写真説明図である。防水構造を備えた開閉部は、正面の上部に横方向に開口するように設けている。
【図１０】同じく実施例４を示す説明図であって、帯状片（４０）（４１）からなる内張防水パーツ（４）の両端の止め方の例を示している。
【図１１】本考案に係る防水構造を備えた開閉部の実施例５を示す説明図である。上面に防水構造を備えた開閉部を有するポーチで、その構造を示すために裏返した状態の写真である。
【図１２】同じく実施例５を示す説明図であって、開口した上面写真である。
【図１３】同じく実施例５を示す説明図であって、正面の写真である。
【図１４】同じく実施例５を示す説明図であって、内張防水パーツ（４）を示す一部説明図である。内張防水パーツ（４）は、帯状片（４０）（４１）の両端を縫着している。
【考案を実施するための形態】
【００３４】
本考案を実施するための最良の形態を説明する。
バッグ開口部に適用した場合は、３種の部材で閉塞するもので、水密、気密に近い防水性を得ることができる。
端面を相互に当接する開口部（１２）を有する表地（１１）の裏面に、スライドファスナー（２）を設け、前記スライドファスナー（２）のファスナー開口部（２０）を覆う長さでその左右両側に縦幅のある帯状片（４０）と帯状片（４１）を立設して設けたもので、前記帯状片（４０）と帯状片（４１）は物を出し入れしない通常時は対向する面を相互に接触して密接に閉塞することで防水する防水構造を備えた開閉部である。
防水スライドファスナーを用いることなく、通常のスライドファスナーでも、他の構成と組み合わせることで防水効果を得るもので、スライドファスナーを閉じたときは、表地（１１）の開口部（１２）も端面を合わせて閉じ、スライドファスナーを閉じることでファスナー開口部（２０）を覆う長さでその左右両側に立ち起こされた縦幅のある帯状片（４０）と帯状片（４１）の根元が中央に寄せられて内層のゴム面が接触して閉塞するので３段階での防水効果がある。
【００３５】
帯状片（４０）と帯状片（４１）を組み合わせた内張防水パーツ（４）は、ファスナー開口部（２０）より大きい開口部（３０）を有する取付具（３）に、ファスナー開口部（２０）を覆う長さで左右両側に長い帯状片（４０）（４１）を立設して設け、その帯状片（４０）（４１）は対向する面を相互に接触する所定幅と所定面積を有する縦幅をもっていて、かつ両端は接合縁部で接着しており、ファスナー（２）を綴じた状態などの物を差し入れない状態では、帯状片（４０）（４１）は相互に密接して閉塞する構成である。
ファスナー（２）を開けたときも、帯状片（４０）（４１）は当初は相互に密接していて、この瞬間も閉塞性や水密性はあるが、次に指を差し入れれば楽に開口し開く。
つまり、帯状片（４０）（４１）は、ファスナー（２）を綴じた状態では自ずと弁のように閉塞し、ファスナー（２）を開けて指などを差し込めば、軽く開口するように機能する。
帯状片（４０）（４１）は、相互に対面する位置に設定され、接触できる距離で、かつ縦幅があり、独立気泡構造をもったゴムスポンジで裏面にジャージ生地を張った比較的柔軟な保形性のある素材で中央部を開口し端部を接合している構成が、弁の機能を奏するのである。
請求項１は、防水構造の開閉部の組み合わせ構成であり、請求項２は、実施例に基づく具体的な組み合わせ構成であり、請求項３および請求項４は素材の限定でさらに弁機能を発揮することを明確化したものであり、請求項５は、部品の構成による水密性を保障した請求項２のより具体的な組み合わせ構成である。
【実施例１】
【００３６】
本考案にかかる防水構造を備えた開閉部について、添付した図面に示す実施例に基づいて説明する。
図１〜図２は実施例１を示し、図３〜図４は実施例２を示し、図６〜図７は実施例３を示し、図８〜図１０は実施例４を示し、図１１〜図１４は実施例５を示している。
【００３７】
図１は、本考案に係る防水構造を備えた開閉部の実施例１を示す要部の一部断面説明図である。
防水構造を備えた開閉部は、独立気泡構造をもったゴムスポンジ製のバッグの開閉部に適用したものである。
独立気泡構造をもったゴムスポンジとしては、ＣＲ（クロロプレンゴム）やＥＰＤＭ（エチレン−プロピレン−ジエンゴム）などが選択される。
バックの表地（１１）は３層構造である。
上層（１３）はジャージ生地、中層（１４）は独立気泡構造をもったゴムスポンジ、下層（１５）はジャージ生地で構成した。
バッグ素材全体が３層の独立気泡構造をもったゴムスポンジ製で、ファスナー付きの開閉部のほか、ポケットやベルトなどが取り付けられる。
生地は、所謂ウエットスーツ生地で、上層ジャージ生地（１３）はその模様や色を任意に作成できる。デザインに自由性がある。
【００３８】
ファスナー（２）は、特にその構造を限定するものではないので、詳細には図示していないが、スライダー（２１）を備えて、歯合するエレメントを設けたものである。
通常のファスナー（防水機能は通常程度の製品）を使用している。
特に完全防水の防水スライドファスナーではない。
表地（１１）には、開口部（１２）を形成している。
【００３９】
開口部（１２）は、カッターで鋭く一直線に切り開いた形状で、閉塞状態を目で見ると、一本の直線である。
切られた端面は、両方から押されて対向し密着しており、ある程度の密閉状態を形成する。
３層の独立気泡構造をもったゴムスポンジは、４ｍｍ〜５ｍｍ位の厚みがあり、その切断面が当接すると、しっかりと閉塞される。
開口部（１２）の両端面が当接し閉塞すると、ほぼ水密になる。
【００４０】
表地（１１）の開口部（１２）の下方には、ファスナー開口部（２０）を有するスライドファスナー（２）が設けられる。
ファスナー開口部（２０）は、手を入れて中の物品を取り出し、或いは物品を入れる口部であるので、バッグ類に応じて手の幅より大きな約１５ｃｍから物品を取り出しやすい３０Ｃｍ位の長さの開口に設計される。
【００４１】
スライドファスナー（２）は、レールテープ（２５）には歯合エレメントである雄片（２３）雌片（２４）を設け、スライダー（２１）を取付けた公知のものである。
そのほか図３で示す以下の実施例２のような、歯合部分に被さる若干防水性を企図したライン形状の上片（２２）を設けた公知のものもある。
歯合部分を覆う上片（２２）は、防塵防水の機能をもつが、本考案では実施例1で示すように、防水部材がないファスナーでも利用できる。
スライドファスナー（２）は、縫い付け或いは接着剤で、生地に取り付けられる。
【００４２】
実施例１では、前記ファスナー開口部（２０）の周囲に設けられる前記ファスナー開口部（２０）より大きい取付具開口部（３０）を有する取付具（３）を設けている。
取付具（３）は、製造的には後述の内張防水パーツ（４）を形成する帯状片（４０）（４１）を接合部（４３）で連結し、予め取り付けておくことで、内張防水パーツ（４）の取り付けの作業効率を高める。
【００４３】
図１、図２に示す実施例１の取付具（３）は、表裏にジャージ生地を設けた厚手の独立気泡構造をもったゴムスポンジで、スライドファスナー（２）のレールテープ（２５）の外周を覆う枠状で、縁を屈折し立上げた開口部（３０）を有し、その開口端面に帯状片（４０）（４１）の下端面を合わせて接着剤で接合部（４３）として一体化している。
ジャージ生地はすくい縫いして連結している。
このような構成で取付具（３）と帯状片（４０）（４１）とで、ファスナー開口部（２０）を覆う内張防水パーツ（４）としたものである。
取付具（３）は、ファスナー（２）と内張防水パーツ（４）とを接着するスペーサの目的でも設けている。
【００４４】
前記ファスナー開口部（２０）を裏から覆う内張防水パーツ（４）は、本考案での重要な構成である。
内張防水パーツ（４）はファスナー開口部（２０）を覆う長さで左右両側に長い帯状片（４０）（４１）を立設して設けたものでその前記帯状片（４０）（４１）は対向する面を相互に接触する縦幅であり、かつ前記内張防水パーツ（４）を形成する帯状片（４０）（４１）の両端は水密に接合している。
【００４５】
前記スライドファスナー（２）を綴じた状態では、前記帯状片（４０）（４１）は相互に密接に接触して閉塞する。
帯状片（４０）（４１）は、相互に対向する面＝内層（４４）をゴム面とし、外層（４５）をジャージ生地にしている。
帯状片（４０）（４１）は、実施例１ではつまり一面をジャージ張りした素材である。
相互に密接して閉塞できる理由は、両者がほぼ対等の弾性力で対峙し、正面から密接し、かつ実施例１の密接面は相当の垂下幅（＝縦幅）のあるもので、ゴム面であるため、密着し、水密を維持できるのである。
特にファスナー（２）を綴じた状態で、対向密着した両面は内部の空気圧で強く密接したものとなり、両面は離れることなく、防水機能がさらに高度になっている。
【００４６】
ファスナー（２）を綴じた状態では、中の空気が漏れないほどに密閉される。
水密性、気密性が保持され、バッグ等の内部への水の浸入は起こらない。
防水性の効果が顕著に現れる。
実施例１では、帯状片（４０）（４１）は長さを２５Ｃｍとし、ＣＲ（クロロプレンゴム）の内層（４４）の厚さを２ｍｍとして外層（４５）にジャージ生地を貼った素材で、縦幅を２Ｃｍとして設計したものである。
縦幅は、２Cm以上あった方が好ましい。５Cm位でもある程度の縦幅で密接して屈折するので、水密性が維持される。
開口して物の出し入れに差し支えなければ縦幅の長さは適宜設計できる。
【００４７】
帯状片（４０）（４１）の左右の端部は、前記のように水の浸入がないように接合された接合縁部となる。
内張防水パーツの端部は間隙はなく閉塞された状態で接着され、或いは止具（５）で接着され、或いは縫着（５０）されており、水が浸入する間隙はない。
【実施例２】
【００４８】
図３、図４に示す実施例２は、取付具（３）の異なる例で、表裏にジャージ生地を設けた厚手の独立気泡構造をもったゴムスポンジで、スライドファスナー（２）のレールテープ（２５）の外周に接合する枠板状で、開口部（３０）を有し、その環状上面に接着剤で帯状片（４０）（４１）の下端面を接着し縫合したものである。
実施例１の端面接合ばかりではなく、帯状片（４０）（４１）の下辺を面接合して作成することもできる。
実施例１では、スライドファスナー（２）のレールテープ（２５）の外周を完全に取付具（３）で覆うので、水密性や耐久性はより優れている。
この実施例２では、歯合部分を覆う上片（２２）を備えたファスナー（２）を用いている。
【実施例３】
【００４９】
実施例３は、本考案をウエストバッグに適用した実施例で、ウエストバッグの防水構造を備えた開閉部を示すものである。
図６は、本考案に係る防水構造を備えた開閉部の実施例３の一部を示す写真で、防水構造を備えた開閉部を上面に設けたウエストバッグを裏返した状態の端部を写した説明図である。
図７は、同じく実施例３のウエストバッグで、上面にその開口部（１２）を設けたことを示し、表地（１１）の開口部（１２）を示すベルト部分を省略した写真説明図である。
【実施例４】
【００５０】
実施例４は、本考案に係る防水構造を備えた開閉部を有するグリップ孔付きのバッグである。
図８は、実施例４のグリップ孔付きのバッグを裏返した状態の写真説明図である。
内張防水パーツ（４）が、立ち上がっていて、開口している状態を示している。
図９は、グリップ孔付きのバッグの実施例４で、側面に開口部（１２）をもうけた例を示す正面の写真説明図である。
防水構造を備えた開閉部は、正面の上部に横方向に開口するように設けている。
図１０は、その実施例４での帯状片（４０）（４１）からなる内張防水パーツ（４）の両端の止め方の例を示している。
中央部分は開口するが、両端の接合縁部は、略T字形に接合される。
接合は、水の浸入がないようであれば接合の手段は特に問わないもので、縫着、接着、或いは防水テープなどでよく、その構造は限定されない。
止具（５）もプラスチック製でU字状のもの、キャップタイプのものや、柔軟な防水布でもよい。
【実施例５】
【００５１】
図１１〜図１４は、ポーチの実施例５である。
図１１は、上面に防水構造を備えた開閉部を有するポーチで、その構造を示すために裏返した状態の写真である。
防水構造を備えた開閉部は、上面に設けてある。
図１２は、開口した上面写真である。開口部から開口した帯状片（４０）（４１）が視認できる。
図１３は同じく実施例５の正面の写真である。
この実施例５での内張防水パーツ（４）は、図１４のように帯状片（４０）（４１）の両端を縫着し接着している。
【００５２】
以上の実施例はあくまで一例であり、デザイン、寸法、素材、形状などはこれに厳密に限定されるものではない。
また、表地、帯状片の層を多層にする構造、材質の変更、軽量化を図るための寸法変更などは、本考案者が予想する設計変更事項である。
【００５３】
本考案は、第一段階の防水として、表地の当接端面での防水、第二段階としてのスライドファスナーでの防水、第三段階としての内張防水パーツでの防水を企図しその構成で、所定の技術的効果を達成したものであり、実用的価値は極めて高い。
【産業上の利用可能性】
【００５４】
本考案に係る防水構造を備えた開閉部は、バッグや小物入れ、マリン用の袋物やバッグ、カバン、ファスナーを使用するリュックサック、その他防水の必要な商品全般の開口部に利用できる。
又、レインコートや防寒着等のポケットの開閉部などにも利用可能である。
【符号の説明】
【００５５】
１      防水構造全体
１１    表地
１２    表地開口部
１３    上層
１４    中層（独立気泡構造をもったゴムスポンジ）
１５    下層
２      ファスナー
２０    ファスナー開口部
２１    スライダー
２２    上片（覆い片）
２３    雄片（ファスナー歯）
２４    雌片（ファスナー歯）
２５    レールテープ（ファスナー生地）
３      取付具（取付布）
３０    取付具開口部
４      内張防水パーツ
４０    帯状片
４１    帯状片
４２    内張防水パーツ開口部
４３    接合部
４４    内層
４５    外層
５      止具
５０    縫着部
【図１】
0003168713.tif 000003
【図２】
0003168713.tif 000004
【図３】
0003168713.tif 000005
【図４】
0003168713.tif 000006
【図５】
0003168713.tif 000007
【図６】
0003168713.tif 000008
【図７】
0003168713.tif 000009
【図８】
0003168713.tif 000010
【図９】
0003168713.tif 000011
【図１０】
0003168713.tif 000012
【図１１】
0003168713.tif 000013
【図１２】
0003168713.tif 000014
【図１３】
0003168713.tif 000015
【図１４】
0003168713.tif 000016